(57)【要約】【課題】人力で入出庫できないほどの重量のある貯蔵物を簡単に入出庫できる危険物貯蔵庫を提供する。【解決手段】床面が地面に対して段差を有して設置される危険物貯蔵庫は、危険物貯蔵庫の内部の床面に固定されて垂直に延びる柱部と、柱部から旋回可能に水平に延びるジブと、ジブに取り付けられるチェーンブロックとを有して構成されるジブクレーンを備え、ジブの一端が柱部に取り付けられ、柱部を旋回軸とするジブの水平方向の旋回により、ジブの他端側の所定長さ部分が、危険物貯蔵庫の内部から、危険物貯蔵庫の側面に設けられた開口部を通過して外部に出るように、当該ジブクレーンが設置される。【選択図】図２
2014074303.tif 000002
【特許請求の範囲】
【請求項１】
床面が地面に対して段差を有して設置される危険物貯蔵庫において、
前記危険物貯蔵庫の内部の前記床面に固定されて垂直に延びる柱部と、前記柱部から旋回可能に水平に延びるジブと、前記ジブに取り付けられるチェーンブロックとを有して構成されるジブクレーンを備え、
前記ジブの一端が前記柱部に取り付けられ、前記柱部を旋回軸とする前記ジブの水平方向の旋回により、前記ジブの他端側の所定長さ部分が、前記危険物貯蔵庫の内部から前記危険物貯蔵庫の側面に設けられた開口部を通過して外部に出るように、前記ジブクレーンが設置されることを特徴とする危険物貯蔵庫。
【請求項２】
請求項１において、
前記ジブは、前記危険物貯蔵庫の内部で初期位置から１８０度旋回してから、前記危険物貯蔵庫の前記開口部を通過して、前記危険物貯蔵庫の外部へ旋回可能に、前記ジブクレーンが設置されることを特徴とする危険物貯蔵庫。
【発明の詳細な説明】
【技術分野】
【０００１】
本発明は、危険物を貯蔵する危険物貯蔵庫に関する。
【背景技術】
【０００２】
消防法上の危険物を所定の指定数量以上貯蔵する場合は、各種法令による基準を満たした危険物貯蔵庫に保管する必要がある。
【０００３】
消防法上の危険物は、その種類に応じて、第１類から第６類までに分類されており、例えば、そのうちの第４類に分類される引火性液体（例えば、アルコール、ガソリン、灯油などの可燃性及び揮発性を有する液体）を一定量（例えば、指定数量の1/5倍〜10倍）貯蔵するには、火災予防条例などの法令の耐火性や換気性などに関する基準を満たした危険物貯蔵庫に保管する必要がある。
【０００４】
危険物貯蔵庫は、コンクリート構造の建築物として、設置場所に建設することも可能であるが、指定数量1/5倍〜10倍の比較的小規模の貯蔵の場合には、床面積１坪〜３坪程度の鉄骨構造のものが普及している。この鉄骨構造の危険物貯蔵庫は、工場においては、まず、溶接などにより鉄骨部品の骨組みを形成した後、床面、天井面、壁面に鋼板を取り付け、必要な設備（換気扇や照明など）を付帯させて生産される。そして、工場で完成品として生産された後、設置場所に運搬されて所定位置に設置される。工場生産とすることで、運搬可能なサイズに限定されるが、安定した品質を担保し、工期を短縮することができ、コストの削減も図られる。
【０００５】
また、床をコンクリート構造とする構成も提案されているが（例えば特許文献１及び特許文献２）、この構造においても、工場で生産された後、トラックで運搬されて、設置位置に設置される。
【０００６】
さらに、工場生産ではなく、屋内の設置場所で床ユニット、壁パネル、天井ユニットなどの部品を組み立てることで、危険物貯蔵用倉庫を完成させ、屋内に設置する構成についても提案されている（特許文献３）。
【先行技術文献】
【特許文献】
【０００７】
【特許文献１】特開２００６−２３８１号公報
【特許文献２】特開２０１２−１３２２１６号公報
【特許文献３】特開２０１０−１８０６６４号公報
【発明の概要】
【発明が解決しようとする課題】
【０００８】
このような危険物貯蔵庫は、消防法や火災予防条例などの各種法令により、床面に溜め升を設置し、さらに、床面に傾斜を付け、防油堤を設ける等の技術的基準が確立されている。そのために、危険物貯蔵庫の床面は、地面との間に所定の段差を有して形成される。例えば、ユニット式の小規模危険物貯蔵庫では、工場生産された完成品を設置場所に搬入して設置するため、溜め升、床面の傾斜、防油堤は床面にあらかじめ作り込んであり、地面と危険物貯蔵庫の床面とは、４０ｃｍ程度の高低差を有する。この程度の段差では、一斗缶や携行缶、灯油缶などの比較的小型の貯蔵缶は、人力による入出庫作業をそれほど不自由をなく行うことが可能であるが、ドラム缶のような大型の貯蔵缶を入出庫する場合は、現状、フォークリフトを使用したり、段差にスロープを設けて運搬車を利用しての作業が必要となり、入出庫作業は煩雑で、手間と時間がかかる。
【０００９】
そこで、本発明の目的は、人力で入出庫できないほどの重量のある貯蔵物（例えばドラム缶）を簡単に入出庫できる危険物貯蔵庫を提供することにある。
【課題を解決するための手段】
【００１０】
本発明の危険物貯蔵庫の構成は、床面が地面に対して段差を有して設置される危険物貯蔵庫において、危険物貯蔵庫の内部の床面に固定されて垂直に延びる柱部と、柱部から旋回可能に水平に延びるジブと、ジブに取り付けられるチェーンブロックとを有して構成されるジブクレーンを備え、ジブの一端が柱部に取り付けられ、柱部を旋回軸とするジブの水平方向の旋回により、ジブの他端側の所定長さ部分が、危険物貯蔵庫の内部から危険物貯蔵庫の側面に設けられた開口部を通過して外部に出るように、ジブクレーンが設置されることを特徴とする。
【発明の効果】
【００１１】
本発明の危険物貯蔵庫によれば、庫内にジブクレーンを搭載することで、段差を有する開口部において、人力では持ち上げられない程度の重量の貯蔵物の入出庫作業を容易且つ安全に行うことができる。
【図面の簡単な説明】
【００１２】
【図１】本発明の実施の形態における危険物貯蔵庫の外観図である。
【図２】扉が開かれジブクレーンが表れた状態を示す危険物貯蔵庫の外観図である。
【図３】本実施の形態における危険物貯蔵庫の内部を表す正面図である。
【図４】本実施の形態における危険物貯蔵庫の内部を表す側面図である。
【図５】ジブ１０２の旋回を説明する図である。
【発明を実施するための形態】
【００１３】
以下、図面を参照して本発明の実施の形態について説明する。しかしながら、かかる実施の形態例が、本発明の技術的範囲を限定するものではない。
【００１４】
本実施の形態における危険物貯蔵庫は、内部にジブクレーンを搭載する構成を有し、ジブクレーンにより貯蔵物を入出庫可能とするものである。
【００１５】
図１は、本発明の実施の形態における危険物貯蔵庫の外観図であって、図１（ａ）は正面図、図１（ｂ）は右側面図、図１（ｃ）は左側面図、図１（ｄ）は背面図である。図２は、扉が開かれジブクレーンが表れた状態を示す危険物貯蔵庫の外観図であって、図２（ａ）は正面図、図２（ｂ）は右側面図である。さらに、図３は、本実施の形態における危険物貯蔵庫の内部を表す正面図、及び図４は、本実施の形態における危険物貯蔵庫の内部を表す側面図である。
【００１６】
図１及び図２に示されるように、本実施の形態における危険物貯蔵庫(以下、貯蔵庫と称す)は、所望の床面積となるサイズとなるように、幅及び奥行きの寸法を決め、軽量鉄骨（高耐食メッキ鋼材）の骨組みにより床面、支柱、天井のフレームが構成される。側面の壁は、好ましくは、耐火性・断熱効果・強度に優れているケイ酸カルシウム板で形成され、外側面に鋼板（カラー角波鉄板）が張り付けられ、天井及び屋根も鋼板（ガルバリウム鋼板）で形成される。図１乃至図４に示される危険物貯蔵庫の寸法は、一例として、幅4615mm×高さ2750mm×奥行き2025mmである。
【００１７】
貯蔵庫の正面（前方の側面）には、ドラム缶の大きさの容器などを搬入できる程度の間口（例えば幅1600mm×高さ1950mm）を有する開口部１（図２参照）が形成され、開口部１は扉２によって開閉される。図２では、扉２としてのドア式のスチール製両開扉が開かれた状態が表わされている。扉は引き戸形態であってもよいが、後述するジブクレーンのジブが内部からの外部に旋回可能に開口部１が全開する形態が好ましい。間口部１の最低地上高さは、およそ400ｍｍ程度であり、作業者が出入りするための踏み段が扉２の前に配置されている。
【００１８】
内部の照明には、安全増防爆灯３（図５参照）が備えられる。また、第４類の引火性液体を貯蔵する場合は、貯蔵庫は、換気設備として、内部に可燃性ガスがたまらないように、側面にカバーで覆われた外気取り入れ口４が設けられると共に、内部から外部に排気ダクト５を導き、その先にベンチレータ（好ましくは回転式ベンチレータ）６が設けられる。
【００１９】
貯蔵庫の床を形成する床パネル１０は、軽量鉄骨をフレーム状に形成した土台１６上に設置され、土台１６及び床パネル１０とにより床構造体を構成する。
【００２０】
鉄骨骨組みの土台１６は、ボックス状の金属部材を溶接して、少なくとも枠（好ましくは、さらに格子を有する）形状に組み立てられる。土台１６上には、複数の所定位置に束１９が立てられ、溶接にて固定される。束１９も、土台１６と同様のボックス状の金属部材を短く切断した形成される。ボックス状の金属部材は、例えば、肉厚3.2mm×縦75mm×横75mmの寸法であり、束の高さは、例えば65mm程度である。土台１６の縦横寸法は、貯蔵庫の床寸法に応じて適宜決定される。
【００２１】
床パネル１０の床フレーム１１は、土台１６とほぼ同一の縦横寸法を有し、土台１６と同様に、ボックス状の金属部材を用いて、溶接により枠と格子を有する形状に組み立てられる。床パネル１０は、このフレーム状の床フレーム１１、床フレーム１１上に敷設されるシート１２、シート１２上に配置される鉄筋１３、及びシート１２上に打設されるコンクリート板１５を含んで構成される。
【００２２】
なお、ドラム缶などに第４類の引火性液体を貯蔵する場合は、貯蔵庫の床パネル１０の片隅にはドレン受け（溜め升）８が設けられ、床パネル１０のコンクリート板１５は、そのドレン受けに向けて緩やかに下る勾配が設けられる。束１９の高さを調整することで、勾配が形成される。こうして、貯蔵している液体が床にこぼれた場合に、そのこぼれた液体がドレン受け８に流れ込むようにする。そして、第４類の引火性液体を貯蔵する場合に必要な設備である排気ダクト５の吸い込み口は、ドレン受け８の直上に設けられ、ドレン受け８から生じた可燃性ガスは直ちに排気ダクト５から外に排出される。
【００２３】
そして、土台１６は、地面に固定された複数のコンクリート版２０上に載置、固定される。コンクリート版２０は、貯蔵庫の床構造体の少なくとも４隅を支持し、さらに必要に応じて、追加の中間位置で支持する。コンクリート版２０の寸法は、一例として、横700mm×縦700mm×高さ70mmである。コンクリート版２０は、地中に延びる鉄筋により地面に固定される。コンクリート版２０上には、アンカーボルトにより鋼板製の薄いベースプレートが載置、固定され、土台１６は、ベースプレートを介してアジャスターボルトによりコンクリート版２０に固定される。
【００２４】
そして、本発明の実施の形態における危険物貯蔵庫においては、図２乃至図４（特に、図３及び図４）に示されるように、貯蔵庫内部に、ジブクレーン１００が搭載、設置される。ジブクレーン１００は、床パネル１０に固定され且つ垂直に延びる柱部１０１と、柱部１０１に対して旋回可能に取り付けられ且つ水平に延びるジブ１０２と、ジブ１０２に取り付けられたチェーンブロック１０３とを有して構成されている。ジブ１０２の一端（固定端）が、柱部１０１に取り付けられ、柱部１０１を旋回軸として、ジブ１０２は水平方向に旋回する。
【００２５】
チェーンブロック１０３は、貯蔵物を巻き上げる機構部であって、上方の鎖車にチェーン（鎖）を掛け、チェーンの下方にフックをつり下げたもので、操作用チェーンを手で引っ張り、鎖車の回転を平歯車で減速し、フックを保持している荷物持ち上げ用鎖を巻き取るようになっている。鎖から手を放してもつり下げた物が落下しないようにブレーキ装置がついている。巻き上げの高さは、つり下げ用のチェーンの長さにより調整可能である。本実施の形態においては、チェーンブロック１０３は、防爆のため、手動式であることが好ましい。
【００２６】
図５は、ジブ１０２の旋回を説明する図であり、危険物倉庫の内部上面図である。ジブ１０２は、図５に示すように、貯蔵庫内部を初期位置Ａから１８０度旋回可能な長さを有し、１８０度旋回した位置からさらに扉１の開状態において、ジブ１０２の自由端側が貯蔵庫内部から扉１の外側に出るように旋回可能な位置、すなわち、貯蔵庫内における扉２のすぐ脇付近に、旋回軸としての柱部１０１が配置される。これにより、内部での旋回可動域が広く、また、ジブ１０２が庫外から出るように旋回させることができる。
【００２７】
作業者は、図２に示されるように、チェーンブロック１０３に貯蔵庫内のドラム缶を吊り下げ、ジブ１０２が貯蔵庫の外側に出るようにジブ１０２を水平旋回させることで、開口部１の段差をまたいで、ドラム缶の出庫作業を行うことができ、また、反対に、扉１前に置かれた貯蔵庫外のドラム缶をチェーンブロック１０３に吊り下げ、ジブ１０２が貯蔵庫内に入るようにジブ１０２を水平旋回させることで、開口部１の段差をまたいで、ドラム缶の入庫作業を行うことができる。
【００２８】
近年、非常時対策、防災対策の一環から、第４類の引火性液体に含まれるガソリン、軽油、灯油、重油などの発電用燃料や暖房用燃料の貯蔵需要が高まっており、危険物貯蔵庫におけるドラム缶の入出庫作業の安全性の向上、簡素化が望まれている。本実施の形態においては、危険物貯蔵庫にジブクレーンを搭載する構成とすることで、フォークリフトやスロープなどを利用することなく、段差をまたいで簡単且つ容易に入出庫作業を行うことができ、入出庫作業の安全性向上にも寄与する。
【００２９】
上記実施の形態例では、ジブクレーンにて、ドラム缶の入出庫について説明したが、本発明は、ドラム缶に限らず、人力では入出庫が困難な大型又は重量のある貯蔵物の入出庫に適用可能である。
【符号の説明】
【００３０】
１：開口部、２：扉、３：安全増防爆灯、４：外気取り入れ口、５：排気ダクト、６：ベンチレータ、８：ドレン受け、１０：床パネル、１１：床フレーム、１２：シート、１３：鉄筋、１５：コンクリート板、１６：土台、１９：束、２０：コンクリート版、１００：ジブクレーン、１０１：柱部、１０２：ジブ、１０３：チェーンブロック
【図１】
2014074303.tif 000003
【図２】
2014074303.tif 000004
【図３】
2014074303.tif 000005
【図４】
2014074303.tif 000006
【図５】
2014074303.tif 000007